(57)【特許請求の範囲】
【請求項１】
情報処理センターと接続し、クレジットカード等のカードに格納されているカード情報を入力するカード情報入力手段と、前記カード情報入力手段により入力されたカード情報を前記情報処理センターへ送信するカード情報送信手段とを備えた複数のカード決済装置と、前記情報処理センターとを含むカード決済システムであって、
前記情報処理センターは、
前記カード決済装置の使用が許可された者の指紋パターンを予め登録する登録手段と、前記カード決済装置のカード情報送信手段からカード情報を受信したとき、当該カード情報、当該カード決済装置を識別する情報、および受信時刻と、過去に当該カード決済装置から受信したカード情報および受信時刻と、過去に当該カード情報を受信したときのカード決済装置の識別情報および受信時刻とに基づいて、前記カード決済装置が不正に使用されている可能性があるか否かを判断する不正使用判断手段と、前記不正使用判断手段が前記カード決済装置が不正に使用されている可能性があると判断した場合、前記カード決済装置に前記カード決済装置を使用するカード決済者の指紋照合を要求する指紋照合要求信号を送信する照合要求信号送信手段と、前記カード決済装置から受信した指紋パターンと、前記登録手段によって予め登録されている指紋パターンとが一致するか否かを判断する指紋照合手段と、前記指紋照合手段が判断した結果を前記カード決済装置に送信する照合情報送信手段とを有し、
前記カード決済装置は、
前記情報処理センターから送信された指紋照合要求信号を受信する要求信号受信手段と、前記要求信号受信手段により受信した指紋照合要求信号に基づいて前記カード情報入力手段によるカード情報の入力動作または前記カード情報送信手段によるカード情報の送信動作を停止するとともに、前記カード決済装置を使用するカード決済者の指紋入力を要求する通知を行う指紋照合要求手段と、前記指紋照合要求手段の要求にしたがって、カード決済者の指紋パターンを入力する指紋パターン入力手段と、前記指紋パターン入力手段に入力された指紋パターンを前記情報処理センターに送信する指紋パターン送信手段と、前記情報処理センターの照合情報送信手段が送信した前記記指紋パターンの照合結果を受信する照合情報受信手段と、前記照合情報受信手段により受信した照合結果に基づいて、前記カード情報入力手段によるカード情報の入力動作または前記カード情報送信手段によるカード情報の送信動作の有効／無効を制御する動作制御手段とを有し、
前記情報処理センターの不正使用判断手段は、特定時間中にカード情報を受信した場合、所定期間内に同一カード決済装置からカード情報を複数回数受信した場合、もしくは所定期間内に同一カード情報を複数回数受信した場合、前記カード決済装置が不正に使用されている可能性があると判断し、
前記カード決済装置の前記動作制御手段は、前記情報処理センターの照合結果送信手段から受信した前記指紋パターンの照合結果が、前記登録手段によって予め登録されている指紋パターンと一致するという結果である場合、前記カード情報入力手段によるカード情報の入力動作または前記カード情報送信手段によるカード情報の送信動作を有効にすることを特徴とするカード決済システム。
【請求項２】
情報処理センターと接続し、クレジットカード等のカードに格納されているカード情報を入力するカード情報入力手段と、前記カード情報入力手段により入力されたカード情報を前記情報処理センターへ送信するカード情報送信手段とを備えた複数のカード決済装置と、前記情報処理センターとを含むカード決済システムで用いられるカード決済方法であって、
前記情報処理センターは、登録手段と、カード情報記憶手段と、不正使用判断手段と、照合要求信号送信手段と、指紋照合手段と、照合情報送信手段とを有し、
前記カード決済装置は、要求信号受信手段と、指紋照合要求手段と、指紋パターン入力手段と、指紋パターン送信手段と、照合情報受信手段と、動作制御手段とを有し、
カード決済方法は、
前記登録手段によって、前記カード決済装置の使用が許可された者の指紋パターンを予め登録する登録工程と、
前記カード決済装置のカード情報送信手段からカード情報を受信したとき、不正使用判断手段により、当該カード情報、当該カード決済装置を識別する情報、および受信時刻と、過去に当該カード決済装置から受信したカード情報および受信時刻と、過去に当該カード情報を受信したときのカード決済装置の識別情報および受信時刻とに基づいて、前記カード決済装置が不正に使用されている可能性があるか否かを判断する不正使用判断工程と、
前記不正使用判断工程において前記カード決済装置が不正に使用されている可能性があると判断された場合、前記照合要求信号送信手段によって、前記カード決済装置に前記カード決済装置を使用するカード決済者の指紋照合を要求する指紋照合要求信号を送信する要求信号送信工程と、
前記要求信号受信手段によって、前記照合要求信号送信工程において送信された指紋照合要求信号を受信する要求信号受信工程と、
前記指紋照合要求手段によって、前記照合要求信号受信工程において受信した指紋照合要求信号に基づいて前記カード情報入力手段によるカード情報の入力動作または前記カード情報送信手段によるカード情報の送信動作を停止するとともに、前記カード決済装置を使用するカード決済者の指紋入力を要求する通知を行う指紋照合要求工程と、
前記指紋パターン入力手段によって、前記指紋照合要求工程における要求にしたがってカード決済者の指紋パターンを入力する指紋パターン入力工程と、
前記指紋パターン送信手段によって、前記指紋パターン入力工程において入力された指紋パターンを前記情報処理センターに送信する指紋パターン送信工程と、
前記指紋照合手段によって、前記カード決済装置から受信した指紋パターンと、前記登録手段によって予め登録されている指紋パターンとが一致するか否かを判断する指紋照合工程と、
前記照合情報送信手段によって、前記指紋照合工程において判断された結果を前記カード決済装置に送信する照合情報送信工程と、
前記照合情報受信手段によって、前記照合情報送信工程において送信された前記記指紋パターンの照合結果を受信する照合情報受信工程と、
前記動作制御手段によって、前記照合情報受信工程において受信した照合結果に基づいて、前記カード情報入力手段によるカード情報の入力動作または前記カード情報送信手段によるカード情報の送信動作の有効／無効を制御する動作制御工程とを有し、
前記不正使用判断工程では、特定時間中にカード情報を受信した場合、所定期間内に同一カード決済装置からカード情報を複数回数受信した場合、もしくは所定期間内に同一カード情報を複数回数受信した場合、前記カード決済装置が不正に使用されている可能性があると判断し、
前記動作制御工程では、前記照合情報受信工程において受信した前記指紋パターンの照合結果が、前記登録工程によって予め登録されている指紋パターンと一致するという結果である場合、前記カード情報入力手段によるカード情報の入力動作または前記カード情報送信手段によるカード情報の送信動作を有効にすることを特徴とするカード決済方法。
【請求項３】
前記請求項２に記載された方法をコンピュータに実行させるプログラムを記録したことを特徴とするコンピュータ読み取り可能な記録媒体。
【発明の詳細な説明】
【０００１】
【発明の属する技術分野】
この発明は、情報処理センターと接続し、クレジットカード等のカードに格納されているカード情報を入力し、前記入力されたカード情報を前記情報処理センターへ送信するカード決済装置、カード決済方法およびその方法をコンピュータに実行させるプログラムを記録したコンピュータ読み取り可能な記録媒体に関する。
【０００２】
【従来の技術】
個人が所有するクレジットカード、デビットカード等のカードには、他人に知られては困る情報が格納されている。そのため、カード所有者はカードに格納された情報がカード所有者の意図する者以外の者に知られないように注意してカードを使用する必要があった。さらに、カード所有者は細心の注意を払って他人によりカードが不正に使用されるのを防止する必要もあった。
【０００３】
【発明が解決しようとする課題】
しかしながら、最近では、店舗店員等のカードによる決済をおこなうカード決済者が、個人、または、他の店舗店員等と共謀して客等のカードを不正に利用している場合もある。たとえば、カード決済装置を改造してスキミング装置、すなわち、読み取ったカード情報を蓄え、その後にその情報に基づいて偽造カードを作るための装置を取り付けて偽造カードを作る等である。
【０００４】
さらに、カード決済装置が無線通信等を利用することによって携帯可能である場合は、固定式のカード決済装置に比べてカード決済装置自体を盗難される可能性がある。そのため、カード決済装置を改造し、上述のスキミング装置を取り付けて偽造カードを作るという不正使用がなされる可能性がある。
【０００５】
このように、カード決済装置を不正に使用されると、カード所有者が細心の注意を払ってカードを使用したとしてもカード情報の盗用等を避けることは困難である。そのため、カード所有者はカードにより決済をおこなう店舗等を、カードによる決済に対する信頼性という観点から、意識的にまたは無意識的に選択して利用しているのが現状である。したがって、カードを取り扱う会社等にとって、店舗店員等のカード決済者や会社部外者等によるカード決済装置の不正使用を防止することは経営上極めて重要な問題である。
【０００６】
この発明は、上述した従来技術による問題点を解決するため、カード決済者等によるカード決済装置の不正使用を効率的に防止することにより、カード所有者に安心感を与え、円滑かつ安全にカード決済をおこなうことが可能なカード決済装置、カード決済方法およびその方法をコンピュータに実行させるプログラムを記録したコンピュータ読み取り可能な記録媒体を提供することを目的とする。
【０００７】
【課題を解決するための手段】
上述した課題を解決し、目的を達成するため、請求項１に記載の発明にかかるカード決済装置は、情報処理センターと接続し、クレジットカード等のカードに格納されているカード情報を入力するカード情報入力手段と、前記カード情報入力手段により入力されたカード情報を前記情報処理センターへ送信するカード情報送信手段とを備えたカード決済装置において、前記情報処理センターから送信された指紋照合要求信号を受信する要求信号受信手段と、前記要求信号受信手段により受信した指紋照合要求信号に基づいて前記カード情報入力手段によるカード情報の入力動作または前記カード情報送信手段によるカード情報の送信動作を停止するとともに、あらかじめ登録された者の指紋照合を要求する指紋照合要求手段と、前記指紋照合要求手段の要求にしたがって指紋パターンを入力する指紋パターン入力手段と、前記指紋パターン入力手段により入力された指紋パターンを、前記あらかじめ登録された者の登録されている指紋パターンと照合する指紋照合手段と、前記指紋照合手段により照合された結果に基づいて前記カード情報入力手段によるカード情報の入力動作または前記カード情報送信手段によるカード情報の送信動作を有効にする動作制御手段と、を備えたことを特徴とする。
【０００８】
この請求項１に記載の発明によれば、カード決済装置が情報処理センターから送信された指紋照合要求信号を受信した場合は、カード決済装置にあらかじめ登録された者の指紋パターンと一致する指紋パターンが入力された場合にのみ、カード情報を入力またはカード情報を送信をすることができる。
【０００９】
また、請求項２に記載の発明にかかるカード決済装置は、情報処理センターと接続し、クレジットカード等のカードに格納されているカード情報を入力するカード情報入力手段と、前記カード情報入力手段により入力されたカード情報を前記情報処理センターへ送信するカード情報送信手段とを備えたカード決済装置において、前記情報処理センターから送信された指紋照合要求信号を受信する要求信号受信手段と、前記要求信号受信手段により受信した指紋照合要求信号に基づいて前記カード情報入力手段によるカード情報の入力動作または前記カード情報送信手段によるカード情報の送信動作を停止するとともに、あらかじめ登録された者の指紋照合を要求する指紋照合要求手段と、前記指紋照合要求手段の要求にしたがって指紋パターンを入力する指紋パターン入力手段と、前記指紋パターン入力手段により入力された指紋パターンに関する指紋パターン情報を前記情報処理センターに送信する指紋パターン情報送信手段と、前記指紋パターン情報送信手段による指紋パターン情報の送信に基づく前記情報処理センターからの照合情報を受信する照合情報受信手段と、前記照合情報受信手段により受信した照合情報に基づいて前記カード情報入力手段によるカード情報の入力動作または前記カード情報送信手段によるカード情報の送信動作を有効にする動作制御手段と、を備えたことを特徴とする
【００１０】
この請求項２に記載の発明によれば、カード決済装置が情報処理センターから送信された指紋照合要求信号を受信した場合は、情報処理センターに登録された者の指紋パターンと一致する指紋パターンが入力された場合にのみ、カード情報を入力またはカード情報を送信することができるので、登録指紋パターンをカード決済装置に記憶する必要がなく、また、記憶した登録指紋パターンを偽造・変造されることがない。
【００１１】
また、請求項３に記載の発明にかかるカード決済装置は、情報処理センターと接続し、クレジットカード等のカードに格納されているカード情報を入力するカード情報入力手段と、前記カード情報入力手段により入力されたカード情報を前記情報処理センターへ送信するカード情報送信手段とを備えたカード決済装置において、前記カード情報入力手段によりカード情報を入力した回数、時刻等の入力状況またはカードによる決済に関する情報に基づいて前記カード決済装置が不正使用されている可能性があるか否かを判断する判断手段と、前記判断手段により判断された結果に基づいて前記カード情報入力手段によるカード情報の入力動作または前記カード情報送信手段によるカード情報の送信動作を停止するとともに、あらかじめ登録された者の指紋照合を要求する指紋照合要求手段と、前記指紋照合要求手段の要求にしたがって指紋パターンを入力する指紋パターン入力手段と、前記指紋パターン入力手段により入力された指紋パターンを、前記あらかじめ登録された者の登録されている指紋パターンと照合する指紋照合手段と、前記指紋照合手段により照合された結果に基づいて前記カード情報入力手段によるカード情報の入力動作または前記カード情報送信手段によるカード情報の送信動作を有効にする動作制御手段と、を備えたことを特徴とする。
【００１２】
この請求項３に記載の発明によれば、カード決済装置を不正に使用している可能性があると判断された場合には、カード決済装置にあらかじめ登録された者の指紋パターンと一致する指紋パターンが入力された場合にのみ、カード情報を入力またはカード情報を送信をすることができる。
【００１３】
また、請求項４に記載の発明にかかるカード決済装置は、情報処理センターと接続し、クレジットカード等のカードに格納されているカード情報を入力するカード情報入力手段と、前記カード情報入力手段により入力されたカード情報を前記情報処理センターへ送信するカード情報送信手段とを備えたカード決済装置において、前記カード情報入力手段によりカード情報を入力した回数、時刻等の入力状況またはカードによる決済に関する情報に基づいて前記カード決済装置が不正使用されている可能性があるか否かを判断する判断手段と、前記判断手段により判断された結果に基づいて前記カード情報入力手段によるカード情報の入力動作または前記カード情報送信手段によるカード情報の送信動作を停止するとともに、あらかじめ登録された者の指紋照合を要求する指紋照合要求手段と、前記指紋照合要求手段の要求にしたがって指紋パターンを入力する指紋パターン入力手段と、前記指紋パターン入力手段により入力された指紋パターンに関する指紋パターン情報を前記情報処理センターに送信する指紋パターン情報送信手段と、前記指紋パターン情報送信手段による指紋パターン情報の送信に基づく前記情報処理センターからの照合情報を受信する照合情報受信手段と、前記照合情報受信手段により受信した照合情報に基づいて前記カード情報入力手段によるカード情報の入力動作または前記カード情報送信手段によるカード情報の送信動作を有効にする動作制御手段と、を備えたことを特徴とする。
【００１４】
この請求項４に記載の発明によれば、カード決済装置を不正に使用している可能性があると判断された場合には、情報処理センターに登録された者の指紋パターンと一致する指紋パターンが入力された場合にのみ、カード情報を入力またはカード情報を送信することができるので、登録指紋パターンをカード決済装置に記憶する必要がなく、また、記憶した登録指紋パターンを偽造・変造されることがない。
【００１５】
また、請求項５に記載の発明にかかるカード決済装置は、請求項１〜４のいずれか一つに記載の発明において、さらに、タイマー手段を備え、前記指紋照合要求手段は、タイマー手段により計数した時間が所定時間に達した場合、または、あらかじめ決められた時刻に達した場合に、前記カード情報入力手段によるカード情報の入力動作または前記カード情報送信手段によるカード情報の送信動作を停止するとともに、あらかじめ登録された者の指紋照合を要求することを特徴とする。
【００１６】
この請求項５に記載の発明によれば、決められた時点から一定時間経過後、または、決められた時刻に達した場合には、カード決済装置にあらかじめ登録された者または情報処理センターに登録された者の指紋パターンと一致する指紋パターンが入力された場合にのみ、カード情報を入力またはカード情報を送信をすることができる。
【００１７】
また、請求項６に記載の発明にかかるカード決済装置は、請求項１〜５のいずれか一つに記載の発明において、さらに、前記カード決済装置が分解されたことを検知する分解検知手段と、前記指紋照合要求手段は、前記分解検知手段により分解されたことが検知された場合に、前記カード情報入力手段によるカード情報の入力動作または前記カード情報送信手段によるカード情報の送信動作を停止するとともに、あらかじめ登録された者の指紋照合を要求することを特徴とする。
【００１８】
この請求項６に記載の発明によれば、カード決済装置が分解されたことを検知した場合には、カード決済装置にあらかじめ登録された者または情報処理センターに登録された者の指紋パターンと一致する指紋パターンが入力された場合にのみ、カード情報を入力またはカード情報を送信をすることができる。
【００１９】
また、請求項７に記載の発明にかかるカード決済装置は、請求項１〜６のいずれか一つに記載の発明において、さらに、前記指紋照合要求手段により指紋照合の要求があった場合に、その旨を前記情報処理センターに送信する指紋照合要求情報送信手段を備えたことを特徴とする。
【００２０】
この請求項７に記載の発明によれば、情報処理センターは、指紋照合の要求があったことを認知することができる。
【００２１】
また、請求項８に記載の発明にかかるカード決済方法は、情報処理センターと接続し、クレジットカード等のカードに格納されているカード情報を入力し、前記入力されたカード情報を前記情報処理センターへ送信するカード決済方法において、前記情報処理センターから送信された指紋照合要求信号を受信する要求信号受信工程と、前記要求信号受信工程により受信した指紋照合要求信号に基づいて前記カード情報の入力動作またはカード情報の送信動作を停止するとともに、あらかじめ登録された者の指紋照合を要求する指紋照合要求工程と、前記指紋照合要求工程の要求にしたがって指紋パターンを入力する指紋パターン入力工程と、前記指紋パターン入力工程により入力された指紋パターンを、あらかじめ登録された者の登録されている指紋パターンと照合する指紋照合工程と、前記指紋照合工程により照合された結果に基づいてカード情報の入力動作またはカード情報の送信動作を有効にする動作制御工程と、を含んだことを特徴とする。
【００２２】
この請求項８に記載の発明によれば、情報処理センターから送信された指紋照合要求信号を受信した場合は、あらかじめ登録された者の指紋パターンと一致する指紋パターンが入力された場合にのみ、カード情報を入力またはカード情報を送信をすることができる。
【００２３】
また、請求項９に記載の発明にかかるカード決済方法は、情報処理センターと接続し、クレジットカード等のカードに格納されているカード情報を入力し、前記入力されたカード情報を前記情報処理センターへ送信するカード決済方法において、前記情報処理センターから送信された指紋照合要求信号を受信する要求信号受信工程と、前記要求信号受信工程により受信した指紋照合要求信号に基づいてカード情報の入力動作またはカード情報の送信動作を停止するとともに、あらかじめ登録された者の指紋照合を要求する指紋照合要求工程と、前記指紋照合要求工程の要求にしたがって指紋パターンを入力する指紋パターン入力工程と、前記指紋パターン入力工程により入力された指紋パターンに関する指紋パターン情報を前記情報処理センターに送信する指紋パターン情報送信工程と、前記指紋パターン情報送信工程による指紋パターン情報の送信に基づく前記情報処理センターからの照合情報を受信する照合情報受信工程と、前記照合情報受信工程により受信した照合情報に基づいてカード情報の入力動作またはカード情報の送信動作を有効にする動作制御工程と、を含んだことを特徴とする。
【００２４】
この請求項９に記載の発明によれば、情報処理センターから送信された指紋照合要求信号を受信した場合には、情報処理センターに登録された者の指紋パターンと一致する指紋パターンが入力された場合にのみ、カード情報を入力またはカード情報を送信することができるので、登録指紋パターンを偽造・変造されることがない。
【００２５】
また、請求項１０に記載の発明にかかるカード決済方法は、情報処理センターと接続し、クレジットカード等のカードに格納されているカード情報を入力し、前記入力されたカード情報を前記情報処理センターへ送信するカード決済方法において、前記カード情報を入力した回数、時刻等の入力状況またはカードによる決済に関する情報に基づいて前記カードによる決済が不正におこなわれている可能性があるか否かを判断する判断工程と、前記判断工程により判断された結果に基づいてカード情報の入力動作またはカード情報の送信動作を停止するとともに、あらかじめ登録された者の指紋照合を要求する指紋照合要求工程と、前記指紋照合要求工程の要求にしたがって指紋パターンを入力する指紋パターン入力工程と、前記指紋パターン入力工程により入力された指紋パターンを、前記あらかじめ登録された者の登録されている指紋パターンと照合する指紋照合工程と、前記指紋照合工程により照合された結果に基づいてカード情報の入力動作またはカード情報の送信動作を有効にする動作制御工程と、を含んだことを特徴とする。
【００２６】
この請求項１０に記載の発明によれば、カードによる決済が不正におこなわれている可能性があると判断された場合には、あらかじめ登録された者の指紋パターンと一致する指紋パターンが入力された場合にのみ、カード情報を入力またはカード情報を送信をすることができる。
【００２７】
また、請求項１１に記載の発明にかかるカード決済方法は、情報処理センターと接続し、クレジットカード等のカードに格納されているカード情報を入力し、前記入力されたカード情報を前記情報処理センターへ送信するカード決済方法において、前記カード情報を入力した回数、時刻等の入力状況またはカードによる決済に関する情報に基づいて前記カードによる決済が不正におこなわれている可能性があるか否かを判断する判断工程と、前記判断工程により判断された結果に基づいてカード情報の入力動作またはカード情報の送信動作を停止するとともに、あらかじめ登録された者の指紋照合を要求する指紋照合要求工程と、前記指紋照合要求工程の要求にしたがって指紋パターンを入力する指紋パターン入力工程と、前記指紋パターン入力工程により入力された指紋パターンに関する指紋パターン情報を前記情報処理センターに送信する指紋パターン情報送信工程と、前記指紋パターン情報送信工程による指紋パターン情報の送信に基づく前記情報処理センターからの照合情報を受信する照合情報受信工程と、前記照合情報受信工程により受信した照合情報に基づいてカード情報の入力動作またはカード情報の送信動作を有効にする動作制御工程と、を含んだことを特徴とする。
【００２８】
この請求項１１に記載の発明によれば、カードによる決済が不正におこなわれている可能性があると判断された場合には、情報処理センターに登録された者の指紋パターンと一致する指紋パターンが入力された場合にのみ、カード情報を入力またはカード情報を送信することができるので、登録指紋パターンを偽造・変造されることがない。
【００２９】
また、請求項１２に記載の発明にかかるカード決済方法は、請求項８〜１１のいずれか一つに記載の発明において、さらに、前記指紋照合要求工程は、計数した時間が所定時間に達した場合、または、あらかじめ決められた時刻に達した場合に、カード情報の入力動作またはカード情報の送信動作を停止するとともに、あらかじめ登録された者の指紋照合を要求することを特徴とする
【００３０】
この請求項１２に記載の発明によれば、決められた時点から一定時間経過後、または、決められた時刻に達した場合には、あらかじめ登録された者または情報処理センターに登録された者の指紋パターンと一致する指紋パターンが入力された場合にのみ、カード情報を入力またはカード情報を送信をすることができる。
【００３１】
また、請求項１３に記載の発明にかかるカード決済方法は、請求項８〜１２のいずれか一つに記載の発明において、さらに、前記指紋照合要求工程により指紋照合の要求があった場合に、その旨を前記情報処理センターに送信する指紋照合要求情報送信工程を含んだことを特徴とする。
【００３２】
この請求項１３に記載の発明によれば、情報処理センターは、指紋照合の要求があったことを認知することができる。
【００３３】
また、請求項１４に記載の発明にかかる記録媒体は、請求項８〜１３のいずれか一つに記載された方法をコンピュータに実行させるプログラムを記録したことで、そのプログラムがコンピュータ読み取り可能となり、これによって、請求項８〜１３の動作をコンピュータによって実現することが可能となる。
【００３４】
【発明の実施の形態】
以下に添付図面を参照して、この発明の好適な実施の形態にかかるカード決済装置、カード決済方法およびその発明をコンピュータに実行させるプログラムを記録した読み取り可能な記録媒体について詳細に説明する。
【００３５】
〔実施の形態１〕
図１は、実施の形態１にかかるカード決済装置の一例である無線カード決済端末の外観を示す説明図である。図１において、無線カード決済端末１００は、指紋パターンを入力する指紋読取ユニット１０１と、カード情報その他カード決済に必要な情報の送受信をおこなう無線通信機１０２と、カード情報を読み取らせるカードリーダユニット１０３と、指紋パターン照合の結果情報やカード決済の結果情報を表示する表示ユニット１０４と、料金および支払方法等を入力する入力ユニット１０５と、クレジットカード売上票等カード決済の結果情報などの印刷をおこなうプリンタユニット１０６と、を備えている。
【００３６】
なお、無線カード決済端末１００は、後述する情報処理センターと無線伝送路を介して接続する。したがって、無線カード決済端末１００は携帯可能であり、無線カード決済端末１００は、たとえば、タクシーに搭載されて使用することができる。
【００３７】
また、図示は省略するが、表示ユニット１０４に表示する内容およびカード決済者の個人情報や顔写真等を表示するほかの表示ユニットを、無線カード決済端末１００に専用コード等を使用し、または、赤外線通信等により接続してもよい。この場合、他の表示ユニットは、たとえば、タクシーの運転席（のヘッドレスト）の後方等、乗客がタクシーの後部座席より確認できる位置に設置するとよい。また、乗客が手で触れないように、料金メータが設置されている位置の近傍に設置するようにしてもよい。
【００３８】
実施の形態１において、無線カード決済端末１００が指紋照合要求信号を受信すると、カード決済者は、カードリーダ１０１からカードに格納されているカード情報を読み取らせることができなくなる。さらに、カード情報を情報処理センターに送信することもできなくなる。この場合、カード決済者は、たとえば自らの手の指のうちあらかじめ登録されている指を指紋読取ユニット１０１に押し当てる。それにより、押し当てられた指の指紋パターンが入力され、入力された指紋パターンによって指紋照合がおこなわれる。
【００３９】
その結果、指紋の照合がなされた場合に、カード決済者はカードリーダユニット１０３からカード情報を読み取らせることが可能となる。また、無線通信機１０２によりカード情報を情報処理センターに送信することも可能となる。これにより、カード決済者は、カード決済の処理をおこなうことが可能となる。
【００４０】
したがって、無線カード決済端末１００が指紋照合要求信号を受信した場合には、あらかじめ指紋パターンを登録している者のみが、指紋照合をすることにより無線カード決済端末１００を実質的に使用することができる。そのため、指紋パターンを登録していない、たとえば、カード決済者以外の会社部外者等は、無線カード決済端末１００を使用することができなくなり、会社部外者等による無線カード決済端末１００の不正使用を防止できる。
【００４１】
また、無線カード決済端末１００を不正使用した者が、タクシーの乗務員等のカード決済者である場合もある。この場合も、指紋照合により無線カード決済端末１００を使用したカード決済者を特定できるため、不正使用者を排除し、また、カード決済者による無線カード決済端末１００の不正使用を抑制することができる。
【００４２】
なお、カードによる決済装置の不正使用を防止する方法としては、認証用のＩＤをもちいる方法も考えられる。これは、カード決済者がまずカード決済装置に自己の認証用のＩＤを入力し、その後にカードによる決済の処理を実行するという方法である。したがって、認証用ＩＤをもっていない会社部外者等はカード決済装置によりカード情報等を入力できない。
【００４３】
さらに、認証用のＩＤをもちいる方法では、決済処理においてカード決済装置を使用したカード決済者を情報処理センター等で特定することができる。したがって、カード決済者によるカード決済装置の不正使用を抑制することにもなる。これにより、会社等は会社部外者等またはカード決済者によるカード決済装置の不正使用を防止できる。
【００４４】
しかし、上記従来のＩＤ等をもちいる方法では、ＩＤ自体が盗用される危険性が常に存在するため、認証用のＩＤを入力したことのみで、カード決済装置の不正使用を防止するには不十分である。特に、カード決済装置が無線通信により移動可能な場合であって、カード決済装置が盗難にあった場合または複数のカード決済者でカード決済装置を共用する場合には、カード決済者等が他人のＩＤを盗用して使用していることも想定できる。
【００４５】
したがって、情報処理センター等においてカード決済装置を使用したカード決済者を特定しても、その特定に誤りがある可能性があるため、カード決済装置の不正使用を防止するのに十分な効果があるとは言い難い。
【００４６】
また、ＩＤは容易に盗用されるのを防止するために、その内容をある程度複雑にする必要がある。しかし、ＩＤを複雑にすると、ＩＤを忘れたり、間違えたりしやすくなり、さらに、入力ミスが多くなる問題点がある。さらに、カードによる決済の処理に要する時間が長くなるので、カード所有者に対して迅速なサービスを与えることができないという問題点もある。したがって、認証用のＩＤの入力の代わりに指紋照合をおこなうことにより、以上のような問題点を解消することができる。
【００４７】
ここで、カード決済者が、カード決済をおこなうたびに指紋照合をするのは煩雑となる場合が多い。特に、スーパー等のカード決済による取引が多い店舗などで、一回のカード決済ごとにカード決済者が指紋照合をおこなっていたのでは、カード所有者に対して迅速なサービスを与えることが困難である。
【００４８】
したがって、本実施の形態においては、指紋照合をおこなうカード決済装置を使用する際、通常の取引では指紋照合を要求しないが、不正使用と思われる情報がセンターへ伝達されたときは、その状況によって指紋照合を要求するようにする。さらに、店舗店員等が、自らまたは第三者と共謀してカード決済装置を不正使用している場合も想定できるため、カードの決済状況を情報処理センターで監視し、状況によっては店舗店員に指紋照合を要求するようにする。
【００４９】
図２は、実施の形態１にかかる無線カード決済端末１００を含むクレジットカード決済システムの一例を示す説明図である。図２においてクレジットカード決済システムは、タクシーに搭載された無線カード決済端末１００のほか、公衆無線通信網の一部を構成する無線中継局（基地局）２０１、情報処理センター２０２、ＣＡＦＩＳ（カードビジネス総合ネットワークシステム）２０３、カード会社２０４を含むものである。さらに、有線カード決済端末２０５を含んでいてもよい。
【００５０】
無線カード決済端末１００は、無線伝送路によって無線中継局２０１と接続するための送受信手段（無線通信機１０２）を備えている。また、無線中継局２０１と情報処理センター２０２とは専用回線で接続されている。したがって、複数の無線カード決済端末１００は、公衆無線通信網により情報処理センター２０２と接続されており、クレジットカードにおける決済に必要な情報を情報処理センター２０２との間で送受信することができる。また、有線カード決済端末２０５は情報処理センター２０２と有線伝送路で接続されているカード決済端末である。
【００５１】
さらに、情報処理センター２０２は、各カード会社２０４にＣＡＦＩＳ２０３を介して接続されており、各カード会社２０４のホストコンピュータとオンラインによるアクセスが可能である。
【００５２】
このように、情報処理センター２０２は、無線カード決済端末１００により送信されるデータ等に対応可能な処理能力を有するコンピュータ、そのコンピュータと無線通信網の一部である無線中継局２０１と接続するための無線通信網用送受信部およびコンピュータとＣＡＦＩＳ２０３とを接続するためのクレジットカードデータ通信用送受信部を含み、複数の無線カード決済端末１００のホストコンピュータとなりうるものである。また、無線中継局２０１が一部を構成する公衆無線通信網にはたとえばパケット通信方式の公衆無線通信網等を利用する。
【００５３】
つぎに、無線カード決済端末１００のハードウエア構成について説明する。図３は、実施の形態１にかかる無線カード決済端末１００のハードウエア構成を示すブロック図である。
【００５４】
図３において、無線カード決済端末１００は、無線カード決済端末１００全体の処理を制御するＣＰＵ３０１と、指紋パターンを読み取る指紋読取ユニット１０１と、カード情報や料金、支払方法等カード決済に必要な情報を送受信する無線通信機１０２と、カード情報を読み取るカードリーダユニット１０３と、料金および支払方法等を入力する、テンキーおよびその他のキーさらにはそれらのキーを照射するバックライト等からなる入力ユニット１０５とを含む構成となっている。
【００５５】
また、無線カード決済端末１００は、ブートプログラム等を記録したマスクＲＯＭ等のＲＯＭ３０２と、登録指紋パターン、カードによる決済の結果情報や無効カード情報等を記録するフラッシュＲＯＭ等のフラッシュメモリ３０３と、ＣＰＵ３０１のワークエリアとして使用されるＤＲＡＭ等のＲＡＭ３０４と、無線カード決済端末１００全体に電源を供給する電源回路３０５と、クレジットカード売上票またはカードによる決済の結果情報等の印刷をおこなうプリンタユニット１０６と、指紋パターン照合された結果に関する情報およびカードによる決済の結果情報等を表示する表示ユニット１０４とを含む構成となっている。
【００５６】
さらに、無線カード決済端末１００は、無線カード決済端末１００が分解されたことを検知する分解検知センサ３０６を含む構成となっている。この、分解検知センサ３０６は、たとえば、無線カード決済端末１００のネジ部に備えられており、無線カード決済端末１００の筐体からネジが取り外されたり、筐体の接合部分が引き離されたりしたことを検知する。
【００５７】
なお、指紋読取ユニット１０１は指紋検出回路および指紋検出センサより構成される。指紋検出回路により指紋を検出する方法としては、たとえば▲１▼指紋の凹凸を容量の差として検出する容量検出、▲２▼ＣＣＤで受光し、空間光変調器をもちいて光相関を求め、パターンを認識する光学検出、▲３▼指紋の凹凸を温度の変化として検出する熱検出、▲４▼電極間の抵抗値を測定して指紋の凹凸を検出する抵抗検出等の方法が考えられる。
【００５８】
また、フラッシュメモリ３０３には、登録指紋パターンやカードによる決済の結果情報のほかに乗務員の個人情報や無効カード情報等を記憶させてもよい。また、表示ユニット１０４としては、たとえばＴＦＴ液晶ディスプレイ等文字、数字、記号、図形、画像等のデータの表示が可能なものが考えられる。
【００５９】
つぎに、無線カード決済端末１００の機能的構成について説明する。図４は、実施の形態１にかかる無線カード決済端末１００を機能的に示すブロック図である。図４において、無線カード決済端末１００は、カード情報入力部４０１と、カード情報送信部４０２と、要求信号受信部４０３と、指紋照合要求部４０４と、動作制御部４０５と、指紋パターン入力部４０６と、指紋照合部４０７と、登録指紋パターン記憶部４０８と、タイマー部４０９と、指紋照合要求情報送信部４１０と、分解検知部４１１と、から構成される。
【００６０】
カード情報入力部４０１は、カード情報を入力するためのものである。したがって、カード決済者は、カード決済に必要な認証処理をおこなうため、カードからカード情報をカード情報入力部４０１に読み取らせる。その後、カード情報はカード情報送信部４０２により情報処理センター２０２に送信される。情報処理センター２０２は、無線カード決済端末１００から送信されたカード情報を受信すると、状況によってはカード決済者に指紋照合を要求するための指紋照合要求信号を無線カード決済端末１００に送信する。
【００６１】
情報処理センター２０２が指紋照合要求信号を無線カード決済端末１００に送信する状況について説明する。たとえば、店舗店員等が偽造カードの作成等不正に使用する目的で無線カード決済端末１００を改造した場合、その動作を確認するため情報処理センター２０２にアクセスすることが想定される。この行為、特に売上処理を実行して確認する行為は、ほとんどの場合店舗の営業時間外におこなう。したがって、情報処理センター２０２は、営業時間外等に情報処理センター２０２へアクセスがあった場合にはカード決済者に指紋照合を要求する。
【００６２】
また、カード偽造団が無線カード決済端末１００を盗み、偽造カードのチェックに使用しようとする場合がある。したがって、これらの処理を情報処理センター２０２のプログラム（人工知能）が不正と判断した場合には、カード決済者に指紋照合を要求する。さらに、情報処理センター２０２が、カード決済の際に、カード決済者に指紋照合を要求するのは無線カード決済端末１００からカード情報を受信した場合には限られない。たとえば、前回のカード決済に関する情報、たとえば、料金と時間の関係等により無線カード決済端末１００が不正に使用されている可能性があると情報処理センター２０２が判断した場合は指紋照合要求信号を無線カード決済端末１００に送信する。
【００６３】
ここで、無線カード決済端末１００によりカード情報を送ってきた回数に基づいて、情報処理センター２０２が無線カード決済端末１００が不正に使用されている可能性があるか否かを判断する場合について説明する。たとえば、無線カード決済端末１００はタクシーに搭載されているものとする。この場合、カード情報が送信されてくる回数のうち一回当たりの基準時間を設定しておく。
【００６４】
たとえば、タクシーに搭載されている無線カード決済端末１００の場合は、カード情報を送信する回数のうち一回当たりの基準時間を３分と設定する。すなわち、情報処理センター２０２は、前回カード情報が送信された時刻から３分以内に、同一の無線カード決済端末１００から送信されたカード情報を受信した場合は、無線カード決済端末１００が不正使用されている可能性があると判断する。この基準時間は、無線カード決済端末１００を取り扱う地域、業種等によりそれぞれ適切なものを設定するようにするとよい。
【００６５】
さらに、同一のカード情報が無線カード決済端末１００により送信された場合にも、１回当たりの基準時間を設定しておく。タクシーに無線カード決済端末１００が搭載されている場合は、たとえば、基準時間を２４時間と設定する。すなわち、情報処理センター２０２は、前回カード情報が送信された時刻から２４時間以内に、同一の無線カード決済端末１００から、送信されたカード情報と同一のカード情報を受信した場合は、無線カード決済端末１００が不正使用されている可能性があると判断する。
【００６６】
また、複数の無線カード決済端末１００により同一のカード情報が送信された場合にも、１回当たりの基準時間を設定しておく。タクシーに無線カード決済端末１００が搭載されている場合には、たとえば、基準時間を３０分と設定して無線カード決済端末１００が不正使用されている可能性があるか否かを判断する。この場合、無線カード決済端末１００が搭載されているタクシーの位置関係も、無線カード決済端末１００が不正に使用されている可能性があるか否かの判断要素に加えるとよい。
【００６７】
このように、無線カード決済端末１００によりカード情報を送ってきた回数に基づいて判断するのは、たとえば、カード偽造団が無線カード決済端末１００を盗み、偽造したカードのチェック用に無線カード決済端末１００を使用して、偽造した複数のカードを短時間に処理することがことが想定できるためである。
【００６８】
さらに、店舗等において、無線カード決済端末１００が見当たらなくなったときは無線カード決済端末１００が盗難された可能性がある。この場合、通常店舗側は情報処理センター２０２に連絡して無線カード決済端末１００の使用を停止してもらう。しかし、この場合、他の店員が外勤等で使用していることも想定できる。したがって、無線カード決済端末１００の使用を停止してもらう代わりに指紋照合要求信号を無線カード決済端末１００に送信することで、仮に店員が無線カード決済端末１００を外勤に使用している場合には指紋照合をすれば使用でき、実際に盗難された場合には使用できなくなる。このように、盗難にあったか否かを容易に判断することができ、不正使用を未然に防止することができる。
【００６９】
つぎに、要求信号受信部４０３は、情報処理センター２０２より無線カード決済端末１００に送信された指紋照合要求信号を受信する。上述のとおり、指紋照合要求信号の受信は、カード情報送信部４０２がカード情報を情報処理センター２０２に送信した場合に限られない。要求信号受信部４０３が指紋照合要求信号を受信すると、指紋照合要求部４０４は、カード情報入力部４０１によるカード情報の入力動作またはカード情報送信部４０２によるカード情報の送信動作を停止する。さらに、指紋照合要求部４０４は、図１に示す表示ユニット１０４等により、あらかじめ登録された者の指紋照合を要求する。
【００７０】
指紋パターン入力部４０６は、指紋照合要求部４０４による指紋照合の要求にしたがって指紋パターンを入力する。ここで、指紋パターン入力部４０６は、指紋検出回路および指紋検出センサを含んでおり、指紋パターン入力部４０６からカード決済者が指紋パターンを入力する。さらに、指紋パターン入力部４０６は、その指紋パターンを指紋照合可能なデータに変換する。
【００７１】
つぎに、指紋照合部４０７は、指紋パターン入力部４０６からカード決済者により入力されて指紋照合可能なデータに変換された指紋パターンに基づいて指紋照合をおこなう。具体的には無線カード決済端末１００の使用が許可された者としてあらかじめ登録指紋パターン記憶部４０８に記憶（登録）された者の指紋パターンと入力された指紋パターンとをパターンマッチング等することにより、両者が一致するか否かの判断をおこなう。
【００７２】
指紋照合の具体的な方法としては、たとえば、▲１▼容量検出等でもちいられている方法で指紋のパターンの変化点等をとらえる特異点検出による方法、▲２▼空間光変調器等でもちいられる光相関検出による方法等、従来の技術により実現することができる。
【００７３】
登録指紋パターン記憶部４０８には、無線カード決済端末１００の使用が許可された者のデータを記憶（登録）している。また、無線カード決済端末１００を複数のカード決済者で共用する場合は複数のカード決済者の登録指紋パターンを記憶（登録）しておく。
【００７４】
その場合、クレジットカードにおける決済の処理において無線カード決済端末１００を使用したカード決済者に関するデータを情報処理センター２０２に送信する。また、カード決済者に関するデータを図３に示すフラッシュメモリ３０３に記憶させることで、クレジットカードにおける決済の処理後にもカード決済者を特定できるようにする。
【００７５】
そして、指紋照合部４０７により、登録指紋パターンと入力された指紋パターンが一致しないと判断された場合には、動作制御部４０５はカード情報入力部４０１によるカード情報の入力動作またはカード情報送信部４０２によるカード情報の送信動作を有効にしないため、カード決済者はカード情報等を入力または送信することができない。したがって、会社部外者等が、無線カード決済端末１００を盗み出し、偽造カードの作成や偽造カードの確認等のために無線カード決済端末１００を不正に使用することを防止できる。
【００７６】
なお、この場合、指紋パターンが正確に入力されなかったことも考えられるため、指紋を入力できる回数をあらかじめ設定しておく。設定回数の上限において指紋照合部４０７が指紋パターンが一致しないと判断した場合には、無線カード決済端末１００の使用自体を無効とし、情報処理センター２０２にその旨を送信するようにしてもよい。
【００７７】
一方、指紋照合部４０７により登録指紋パターンと入力された指紋パターンが一致すると判断された場合には、動作制御部４０５はカード情報入力部４０１によるカード情報の入力動作またはカード情報送信部４０２によるカード情報の送信動作を有効にする。よって、指紋パターンが一致したことにより、カード決済者は、カード情報入力部４０１にカード情報を入力またはカード情報を情報処理センター２０２に送信することが可能となるため、再びカードによる決済をおこなうことができる。
【００７８】
つぎに、タイマー部４０９について説明する。上述のとおり、店舗店員等が偽造カードの作成等不正に使用する目的で無線カード決済端末１００を改造した場合に、その動作を確認するため情報処理センター２０２にアクセスする行為は、ほとんどの場合、店舗の営業時間外におこなう。そこで、決められた時点から一定時間経過後、または、決められた時刻に達した場合に無線カード決済端末１００が自動的に指紋照合を要求する構成にする。
【００７９】
タイマー部４０９は、時間を計数し、または時刻を検知する。タイマー部４０９は、決められた時点から一定時間経過後、たとえば、最後に無線カード決済端末１００を使用した時点から一定時間経過した時、または、営業終了時間に達した時を検知し、指紋照合要求部４０４にその結果を送る。指紋照合要求部４０４は送られた結果に基づいて、カード情報入力部４０１によるカード情報の入力動作またはカード情報送信部４０２によるカード情報の送信動作を停止するとともに、指紋照合を要求する旨を図１に示す表示ユニット１０４等に表示する。
【００８０】
したがって、決められた時点から一定時間経過後、たとえば、最後に無線カード決済端末１００を使用した時点から一定時間経過した場合、または、営業終了時間に達した後に無線カード決済端末１００を使用する場合には、カード決済者は指紋照合をおこなう必要がある。これにより、決められた時点から一定時間経過後、たとえば、最後に無線カード決済端末１００を使用した時点から一定時間経過した場合、または、営業終了時間に達した後に無線カード決済端末１００を使用した者を特定できるため、店舗店員等による無線カード決済端末１００の不正使用を抑制することができる。
【００８１】
つぎに、無線カード決済端末１００が分解された場合について説明する。分解検知部４１１は、無線カード決済端末１００が分解されたことを検知する。無線カード決済端末１００が不正使用される場合として、上述のスキミング装置等を無線カード決済端末１００に取り付けることが想定できる。したがって、無線カード決済端末１００を改造してスキミング装置等を取り付けようとした場合、分解検知部４１１は無線カード決済端末１００が分解されたことを検知する。
【００８２】
さらに、指紋照合要求部４０４は、分解検知部４１１により無線カード決済端末１００が分解されたことが検知された場合には、カード情報入力部４０１によるカード情報の入力動作またはカード情報送信部４０２によるカード情報の送信動作を停止するとともに、指紋照合を要求する旨を図１に示す表示ユニット１０４等に表示する。
【００８３】
したがって、分解検知部４１１により、無線カード決済端末１００が分解されたことを検知された後に無線カード決済端末１００を使用する場合には、カード決済者は指紋照合をおこなう必要がある。これにより、無線カード決済端末１００が会社部外者等に盗難されて改造された場合にはカード情報の入力またはカード情報の送信ができないため、無線カード決済端末１００の不正使用を防止できる。さらに、無線カード決済端末１００が分解されたことを検知された後に無線カード決済端末１００を使用した者を特定できるため、店舗店員等による無線カード決済端末１００の不正使用を抑制することができる。
【００８４】
また、分解検知部４１１により、無線カード決済端末１００が分解されたことを検知した場合は、指紋照合によりカード情報の入力動作またはカード情報の送信動作を有効にできる者を、たとえば、店舗の責任者等に限ってもよい。無線カード決済端末１００が分解された場合には、不正に使用されている可能性が高いため、無線カード決済端末１００が不正に使用されるのをより慎重に防止するためである。この場合には、指紋照合をおこなえる者を図１に示す表示ユニットに表示してカード決済者に認知させるとよい。
【００８５】
さらに、指紋照合要求情報送信部４１０は、指紋照合要求部４０４により指紋照合が要求された場合には、その旨を情報処理センター２０２に送信する。これにより、情報処理センター２０２から無線カード決済端末１００に指紋照合要求信号を送信した場合には、その信号により指紋照合要求部４０４が指紋照合を要求をおこなったことを情報処理センター２０２で確認できる。
【００８６】
また、タイマー部４０９により、決められた時点から一定時間経過後、たとえば、最後に無線カード決済端末１００を使用した時点から一定時間経過した場合、または、営業終了時間に達した場合に、指紋照合要求部４０４が指紋照合の要求をおこなったことも情報処理センター２０２で確認できる。
【００８７】
さらに、情報処理センター２０２は、分解検知部４１１が無線カード決済端末１００が分解されたことを検知したために指紋照合要求部４０４が指紋照合を要求をおこなったことも確認できる。なお、情報処理センター２０２は、指紋照合をおこなうまでもなく、即無線カード決済端末１００の運用を停止にし、無線カード決済端末１００の状況を確認するようにしてもよい。したがって、この場合には、カード決済者が指紋照合をおこなっても、実質的に無線カード決済端末１００の使用が不可となる。
【００８８】
つぎに、実施の形態１にかかる無線カード決済端末１００に、無線カード決済端末１００が不正に使用されている可能性があるか否かを判断する判断部を備えた一例について説明する。図５は、実施の形態１にかかる無線カード決済端末１００に判断部を備えた一例を機能的に示すブロック図である。
【００８９】
図５において、無線カード決済端末１００は、判断部５０１と、カード情報入力部４０１と、カード情報送信部４０２と、要求信号受信部４０３と、指紋照合要求部４０４と、動作制御部４０５と、指紋パターン入力部４０６と、指紋照合部４０７と、登録指紋パターン記憶部４０８と、タイマー部４０９と、指紋照合要求情報送信部４１０と、分解検知部４１１と、から構成される。
【００９０】
ここで、カード情報入力部４０１、カード情報送信部４０２、要求信号受信部４０３、指紋照合要求部４０４、動作制御部４０５、指紋パターン入力部４０６、指紋照合部４０７、登録指紋パターン記憶部４０８、タイマー部４０９、指紋照合要求情報送信部４１０、分解検知部４１１は図４に示した無線カード決済端末１００の各構成部と同様のものであるので、同一の符号を付してその説明を省略する。
【００９１】
判断部５０１は、無線カード決済端末１００が不正に使用されている可能性があるか否かを判断する。判断部５０１は、まず、カード決済者が、カード情報入力部４０１にカード情報を読みとらせると、カード情報を入力した回数および時刻等の入力状況に関する情報に基づいて無線カード決済端末１００が不正に使用されているか否かを判断する。判断部５０１により、無線カード決済端末１００が不正に使用されている可能性がないと判断された場合には、指紋照合要求部４０４による指紋照合の要求はおこなわれないままカード決済者はカードによる決済をおこなう。
【００９２】
一方、判断部５０１により、無線カード決済端末１００が不正に使用されている可能性があると判断された場合には、指紋照合要求部４０４は、カード情報入力部４０１によるカード情報の入力動作またはカード情報送信部４０２によるカード情報の送信動作を停止するとともに、指紋照合を要求する旨を図１に示す表示ユニット１０４等に表示する。
【００９３】
なお、判断部５０１が、無線カード決済端末１００が不正に使用されているか否かを判断する時期は、カード情報入力部４０１にカード情報が入力された場合に限られない。したがって、判断部５０１は、カード決済の途中またはカード決済後においても無線カード決済端末１００が不正に使用されている可能性があるか否かを判断する。
【００９４】
そして、指紋照合要求部４０４は、不正に使用されている可能性があると判断した場合には、カード情報入力部４０１によるカード情報の入力動作またはカード情報送信部４０２によるカード情報の送信動作を停止するとともに、指紋照合を要求する旨を図１に示す表示ユニット１０４等に表示する。
【００９５】
したがって、判断部５０１により無線カード決済端末１００が不正に使用されている可能性があると判断された後に無線カード決済端末１００を使用する場合には、カード決済者は指紋照合をおこなう必要がある。このため、会社部外者等が無線カード決済端末１００を不正に使用しようとした場合にはカード情報の入力またはカード情報の送信ができなくなり、無線カード決済端末１００の不正使用を防止できる。さらに、無線カード決済端末１００について不正の可能性がある使用をした者を特定できるため、店舗店員等による無線カード決済端末１００の不正使用を抑制することができる。
【００９６】
また、指紋照合要求情報送信部４１０は、判断部５０１により判断された結果に基づいて、指紋照合要求部４０４により指紋照合が要求された旨を情報処理センター２０２に送信する。これにより、情報処理センター２０２は指紋照合要求部４０４が指紋照合をおこなったことを確認できる。この場合、情報処理センター２０２は、無線カード決済端末１００の運用を停止し、無線カード決済端末１００の状況を確認するようにしてもよい。
【００９７】
ここで、カード情報入力部４０１によりカード情報を入力した回数に基づいて、判断部５０１により無線カード決済端末１００が不正に使用されている可能性があるか否かを判断する場合について説明する。たとえば、無線カード決済端末１００はタクシーに搭載されているものとする。この場合、カード情報が入力される回数のうち一回当たりの基準時間を設定しておく。
【００９８】
たとえば、タクシーに搭載されている無線カード決済端末１００の場合は、カード情報を入力する回数のうち一回当たりの基準時間を３分と設定する。基準時間を３分としたのは、タクシーにおいて３分以内にカード決済を２回おこなう可能性は少ないためである。
【００９９】
すなわち、判断部５０１は、前回カード情報が入力された時刻から３分以内に、カード情報よりカード情報が入力された場合には、無線カード決済端末１００が不正使用されている可能性があると判断する。この基準時間は、無線カード決済端末１００を取り扱う地域、業種等によりそれぞれ適切なものを設定するようにする。
【０１００】
さらに、同一のカード情報がカード情報入力部４０１に入力された場合にも、１回当たりの基準時間を設定しておく。タクシーに無線カード決済端末１００が搭載されている場合は、たとえば、基準時間を２４時間と設定する。すなわち、判断部５０１は、前回カード情報が入力された時刻から２４時間以内に、カード情報入力部４０１から、以前入力されたカード情報と同一のカード情報入力された場合は、無線カード決済端末１００が不正使用されている可能性があると判断する。
【０１０１】
このように、無線カード決済端末１００によりカード情報を送ってきた回数に基づいて判断するのは、たとえば、カード偽造団が無線カード決済端末１００を盗み、偽造したカードのチェック用に無線カード決済端末１００を使用して、偽造した複数のカードを短時間に処理することがことが想定できるためである。
【０１０２】
なお、基準時間に代えて、たとえば、１０分当たり２回または３０分当たり６回等、単位時間当たりのカード情報を入力する基準回数を設ける方法または単位時間当たりの基準金額を設定しておく方法にしてもよい。なお、本発明は上述した方法に限定されるものではない。
【０１０３】
つぎに、実施の形態１にかかる無線カード決済端末１００の処理の内容について説明する。図６は、実施の形態１にかかる無線カード決済端末１００の処理の手順を示すフローチャートである。図６のフローチャートにおいて、まず、無線カード決済端末１００が指紋照合要求信号を受信した場合（ステップＳ６０１肯定）は、カード決済者に指紋照合を要求すべくステップＳ６０３に移行する。
【０１０４】
また、指紋照合要求信号を受信しない場合（ステップＳ６０１否定）は、決められた時刻等に達したか否かをタイマー部４０９に基づいて判断する（ステップＳ６０２）。ステップＳ６０２において、決まった時刻に達したと判断された場合（ステップＳ６０２肯定）は、カード決済者に指紋照合を要求すべくステップＳ６０３に移行する。
【０１０５】
一方、ステップＳ６０２において、決まった時刻に達していないと判断された場合（ステップＳ６０２否定）は、ステップＳ６０１に移行する。なお、このステップＳ６０１とステップＳ６０２間においては、カード決済者は指紋照合をすることなく無線カード決済端末１００を使用できる。
【０１０６】
つぎに、指紋照合要求情報送信部４１０は、指紋照合部４０４により指紋照合を要求する旨を情報処理センター２０２に送信する（ステップＳ６０３）。なお、指紋照合要求情報送信部４１０による、指紋照合部４０４が指紋照合を要求する旨の送信は、指紋照合要求部４０４がカード情報の入力およびカード情報の送信を停止したと同時またはそれ以降の処理においておこなってもよい。
【０１０７】
つぎに、指紋照合要求部４０４は、カード情報入力部４０１によるカード情報の入力動作またはカード情報送信部４０２によるカード情報の送信動作を停止する（ステップＳ６０４）。これにより、カード決済者等が無線カード決済端末１００を使用するためには指紋照合をおこなわなければならない。
【０１０８】
さらに、指紋照合要求部４０４は、図１に示す表示ユニット１０４等により、カード決済者等に対し指紋照合の要求をする（ステップＳ６０５）。なお、音声、アラーム音または、図１に示す表示ユニット１０４若しくは入力ユニット１０５のバックライトの点滅等により、カード決済者等に指紋照合の要求を認知させてもよい。また、指紋照合要求部４０４による指紋照合の要求は、指紋照合要求部４０４がカード情報の入力およびカード情報の送信を停止する前または同時におこなってもよい。
【０１０９】
つぎに、指紋パターンが入力されるのを待って（ステップＳ６０６）、指紋パターンが入力された場合（ステップＳ６０６肯定）は、あらかじめ登録されている登録指紋パターンとの照合をおこなう（ステップＳ６０７）。そして、カード決済者等により入力された指紋パターンと登録指紋パターンが一致するか否かを判断する（ステップＳ６０８）。
【０１１０】
ステップＳ６０８において、カード決済者等により入力された指紋パターンが登録指紋パターンと一致しないと判断された場合（ステップＳ６０８否定）は、動作制御部４０５はカード情報入力部４０１によるカード情報の入力動作またはカード情報送信部４０２によるカード情報の送信動作を有効にしないまま、その後ステップＳ６０５に移行し、再度指紋照合の要求をおこなう。
【０１１１】
なお、この場合には指紋を入力できる回数を、たとえば、３回等と設定しておく。設定回数の上限において指紋照合部４０７が指紋パターンが一致しないと判断した場合は、無線カード決済端末１００の使用自体を無効とし、情報処理センター２０２にその旨を送信するようにしてもよい。
【０１１２】
一方、ステップＳ６０８において、カード決済者により入力された指紋パターンが登録指紋パターンと一致すると判断された場合（ステップＳ６０８肯定）は、動作制御部４０５はカード情報入力部４０１によるカード情報の入力動作またはカード情報送信部４０２によるカード情報の送信動作を有効にする（ステップＳ６０９）。
【０１１３】
よって、指紋パターンが一致したことにより、カード決済者は、カード情報入力部４０１にカード情報を入力またはカード情報を情報処理センター２０２に送信することが可能となるため、再びカードによる決済をおこなうことができる。なお、前述の処理の手順は一例であり、本発明を限定するものではない。
【０１１４】
ここで、無線カード決済端末１００が分解されたことを分解検知部４１１により検知した場合の処理について説明する。図７は、実施の形態１にかかる無線カード決済端末１００が分解されたことを分解検知部４１１により検知した場合の処理を示すフローチャートである。図７のフローチャートにおいて、まず、無線カード決済端末１００が分解された場合、分解検知部４１１はその旨を検知する（ステップＳ７０１）。
【０１１５】
つぎに、指紋照合要求情報送信部４１０は、無線カード決済端末１００が分解されたことを分解検知部４１１が検知したために、指紋照合要求部４０４により指紋照合を要求する旨を情報処理センター２０２に送信する（ステップＳ７０２）。なお、指紋照合要求情報送信部４１０による、指紋照合部４０４が指紋照合を要求する旨の送信は、指紋照合要求部４０４がカード情報の入力およびカード情報の送信を停止したと同時またはそれ以降の処理においておこなってもよい。
【０１１６】
つぎに、指紋照合要求部４０４は、カード情報入力部４０１によるカード情報の入力動作またはカード情報送信部４０２によるカード情報の送信動作を停止する（ステップＳ７０３）。これにより、カード決済者等が無線カード決済端末１００を使用するためには指紋照合をおこなわなければならない。
【０１１７】
なお、無線カード決済端末１００が分解されたことを分解検知部４１１が検知した場合には、指紋照合を要求することなく、カード情報入力部４０１によるカード情報の入力動作またはカード情報送信部４０２によるカード情報の送信動作を停止し、無線カード決済端末１００を完全に使用できないような構成にしてもよい。また、店舗の責任者等限られた者により指紋照合をおこなうべき旨を要求してもよい。
【０１１８】
つぎに、指紋照合要求部４０４は、図１に示す表示ユニット１０４等により、カード決済者等に対し指紋照合の要求をする（ステップＳ７０４）。なお、音声、アラーム音または、図１に示す表示ユニット１０４若しくは入力ユニット１０５のバックライトの点滅等により、カード決済者等に指紋照合の要求を認知させてもよい。また、指紋照合要求部４０４による指紋照合の要求は、指紋照合要求部４０４がカード情報の入力およびカード情報の送信を停止する前または同時におこなってもよい。
【０１１９】
つぎに、指紋パターンが入力されるのを待って（ステップＳ７０５）、指紋パターンが入力された場合（ステップＳ７０５肯定）は、あらかじめ登録されている登録指紋パターンとの照合をおこなう（ステップＳ７０６）。そして、カード決済者等により入力された指紋パターンと登録指紋パターンが一致するか否かを判断する（ステップＳ７０７）。
【０１２０】
ステップＳ７０７において、カード決済者等により入力された指紋パターンが登録指紋パターンと一致しないと判断された場合（ステップＳ７０７否定）は、動作制御部４０５はカード情報入力部４０１によるカード情報の入力動作またはカード情報送信部４０２によるカード情報の送信動作を有効にしないまま、その後ステップＳ７０４に移行し、再度指紋照合の要求をおこなう。
【０１２１】
なお、この場合にも指紋を入力できる回数を設定しておく。この場合、無線カード決済端末１００が不正に改造されている可能性もあるため、図６に示す場合よりも少ない回数を設定する等して無線カード決済端末１００が不正に使用されるのを防止するとよい。また、設定回数の上限において指紋照合部５０９が指紋パターンが一致しないと判断した場合は、無線カード決済端末１００の使用自体を無効とし、情報処理センター２０２にその旨を送信するようにしてもよい。
【０１２２】
一方、ステップＳ７０７において、カード決済者により入力された指紋パターンが登録指紋パターンと一致すると判断された場合（ステップＳ７０７肯定）は、動作制御部４０５はカード情報入力部４０１によるカード情報の入力動作またはカード情報送信部４０２によるカード情報の送信動作を有効にする（ステップＳ７０８）。
【０１２３】
よって、指紋パターンが一致したことにより、カード決済者は、カード情報入力部４０１にカード情報を入力またはカード情報を情報処理センター２０２に送信することが可能となるため、再びカードによる決済をおこなうことができる。なお、前述の処理の手順は一例であり、本発明を限定するものではない。
【０１２４】
なお、無線カード決済端末１００が分解されたことを分解検知部４１１により検知した場合には、指紋パターンが登録指紋パターンと一致すると判断された場合であっても、情報処理センター２０２より、無線カード決済端末１００の確認をおこなったほうがよい。
【０１２５】
ここで、実施の形態１にかかる無線カード決済端末１００に、無線カード決済端末１００に判断部５０１を備えている場合の処理について説明する。図８は、実施の形態１にかかる無線カード決済端末１００が不正に使用されている可能性があると判断部５０１により判断した場合の処理を示すフローチャートである。
【０１２６】
図８のフローチャートにおいて、まず、判断部５０１は-カード情報入力部４０１によりカード情報を入力した回数、時刻等の入力状況またはカードによる決済に関する情報に基づいて無線カード決済端末１００が不正使用されている可能性があるか否かを判断する（ステップＳ８０１）。
【０１２７】
ステップＳ８０１において、無線カード決済端末１００が不正に使用されている可能性があると判断された場合（ステップＳ８０１肯定）は、指紋照合要求情報送信部４１０は、判断部５０１により無線カード決済端末１００が不正に使用されている可能性があると判断されたために、指紋照合要求部４０４により指紋照合を要求する旨を情報処理センター２０２に送信する（ステップＳ８０２）。
【０１２８】
なお、指紋照合要求情報送信部４１０による、指紋照合部４０４が指紋照合を要求する旨の送信は、指紋照合要求部４０４がカード情報の入力およびカード情報の送信を停止したと同時またはそれ以降の処理においておこなってもよい。
【０１２９】
つぎに、指紋照合要求部４０４は、カード情報入力部４０１によるカード情報の入力動作またはカード情報送信部４０２によるカード情報の送信動作を停止する（ステップＳ８０３）。これにより、カード決済者等が無線カード決済端末１００を使用するためには指紋照合をおこなわなければならない。
【０１３０】
つぎに、指紋照合要求部４０４は、図１に示す表示ユニット１０４等により、カード決済者等に対し指紋照合の要求をする（ステップＳ８０４）。なお、音声、アラーム音または、図１に示す表示ユニット１０４若しくは入力ユニット１０５のバックライトの点滅等により、カード決済者等に指紋照合の要求を認知させてもよい。また、指紋照合要求部４０４による指紋照合の要求は、指紋照合要求部４０４がカード情報の入力およびカード情報の送信を停止する前または同時におこなってもよい。さらに、店舗の責任者等限られた者により指紋照合をおこなうべき旨を要求してもよい。
【０１３１】
つぎに、指紋パターンが入力されるのを待って（ステップＳ８０５）、指紋パターンが入力された場合（ステップＳ８０５肯定）は、あらかじめ登録されている登録指紋パターンとの照合をおこなう（ステップＳ８０６）。そして、カード決済者等により入力された指紋パターンと登録指紋パターンが一致するか否かを判断する（ステップＳ８０７）。
【０１３２】
ステップＳ７０７において、カード決済者等により入力された指紋パターンが登録指紋パターンと一致しないと判断された場合（ステップＳ８０７否定）は、動作制御部４０５はカード情報入力部４０１によるカード情報の入力動作またはカード情報送信部４０２によるカード情報の送信動作を有効にしないまま、その後ステップＳ７０４に移行し、再度指紋照合の要求をおこなう。なお、この場合にも指紋を入力できる回数を設定しておくとよい
【０１３３】
一方、ステップＳ８０７において、カード決済者により入力された指紋パターンが登録指紋パターンと一致すると判断された場合（ステップＳ８０７肯定）は、動作制御部４０５はカード情報入力部４０１によるカード情報の入力動作またはカード情報送信部４０２によるカード情報の送信動作を有効にする（ステップＳ８０８）。
【０１３４】
よって、指紋パターンが一致したことにより、カード決済者は、カード情報入力部４０１にカード情報を入力またはカード情報を情報処理センター２０２に送信することが可能となるため、再びカードによる決済をおこなうことができる。なお、前述の処理の手順は一例であり、本発明を限定するものではない。
【０１３５】
また、指紋照合により特定されたカード決済者等に関する情報を、カード決済後に情報処理センター２０２に送信するようにしてもよい。これにより、情報処理センター２０２は指紋照合をおこなって無線カード決済端末１００を使用した者を即座に特定することができる。
【０１３６】
以上、説明したように本実施の形態１によれば、情報処理センター２０２から送信された指紋照合要求信号を要求信号受信部４０２が受信し、指紋照合要求部４０４が、指紋照合要求信号に基づいてカード情報入力部４０１によるカード情報の入力動作またはカード情報送信部４０２によるカード情報の送信動作を停止するとともに、あらかじめ登録された者の指紋照合を要求すると、無線カード決済端末１００にあらかじめ登録された者の指紋パターンと一致する指紋パターンが指紋パターン入力部４０６に入力された場合にのみ、カード情報を入力またはカード情報を送信をすることが可能となり、また、無線カード決済端末１００においてカードによる決済をおこなうことが可能となる。
【０１３７】
したがって、無線カード決済端末１００の指紋を登録していない者による使用を効率的に排除でき、また、無線カード決済端末１００を使用した者を特定できるため、効率的に無線カード決済端末１００の不正使用を防止できる。
【０１３８】
また、実施の形態１によれば、無線カード決済端末１００が不正に使用されている可能性があると判断部５０１により判断された場合は、指紋照合要求部４０４が、判断部５０１により判断された結果に基づいてカード情報入力部４０１によるカード情報の入力動作またはカード情報送信部４０２によるカード情報の送信動作を停止するとともに、あらかじめ登録された者の指紋照合を要求すると、無線カード決済端末１００にあらかじめ登録された者の指紋パターンと一致する指紋パターンが指紋パターン入力部４０６に入力された場合にのみ、カード情報を入力またはカード情報を送信をすることが可能となり、また、無線カード決済端末１００においてカードによる決済をおこなうことが可能となる。
【０１３９】
したがって、カードの入力状況等に応じて、指紋照合を要求することにより、無線カード決済端末１００の指紋を登録していない者による使用を効率的に排除でき、また、無線カード決済端末１００を使用した者を特定できるため、効率的に無線カード決済端末１００の不正使用を防止できる。
【０１４０】
また、実施の形態１によれば、タイマー部４０９により計数した時間が所定時間に達した場合、または、あらかじめ決められた時刻に達した場合に、指紋照合要求部４０４が、カード情報入力部４０１によるカード情報の入力動作またはカード情報送信部４０２によるカード情報の送信動作を停止するとともに、あらかじめ登録された者の指紋照合を要求すると、無線カード決済端末１００にあらかじめ登録された者の指紋パターンと一致する指紋パターンが指紋パターン入力部４０６に入力された場合にのみ、カード情報を入力またはカード情報を送信をすることが可能となり、また、無線カード決済端末１００においてカードによる決済をおこなうことが可能となる。
【０１４１】
したがって、カードの入力された時刻等に応じて、指紋照合を要求することにより、無線カード決済端末１００の指紋を登録していない者による使用を効率的に排除でき、また、無線カード決済端末１００を使用した者を特定できるため、効率的に無線カード決済端末１００の不正使用を防止できる。
【０１４２】
また、実施の形態１によれば、無線カード決済端末１００が分解されたことを分解検知部４１１が検知し場合に、指紋照合要求部４０４が、カード情報入力部４０１によるカード情報の入力動作またはカード情報送信部４０２によるカード情報の送信動作を停止するとともに、あらかじめ登録された者の指紋照合を要求すると、無線カード決済端末１００にあらかじめ登録された者の指紋パターンと一致する指紋パターンが指紋パターン入力部４０６に入力された場合にのみ、カード情報を入力またはカード情報を送信をすることが可能となり、また、無線カード決済端末１００においてカードによる決済をおこなうことが可能となる。
【０１４３】
したがって、無線カード決済端末１００が分解されたことを検知した際に指紋照合を要求することにより、無線カード決済端末１００の指紋を登録していない者による使用を効率的に排除でき、また、無線カード決済端末１００を使用した者を特定できるため、効率的に無線カード決済端末１００の不正使用を防止できる。
【０１４４】
また、実施の形態１によれば、指紋照合要求部４０４により指紋照合の要求があった場合に、指紋照合要求情報送信部４１０がその旨を情報処理センター２０２に送信する。したがって、情報処理センター２０２は、無線カード決済端末１００において指紋照合の要求があったことを認知することができる。
【０１４５】
なお、実施の形態１において、１回の指紋照合要求信号の受信等に対して１回指紋照合を要求する。したがって、一度指紋照合をおこなえば、つぎの指紋照合要求信号の受信等まで指紋照合をおこなう必要がない。したがって、指紋照合要求信号の受信により無線カード決済端末１００を指紋照合要求モードに変換し、指紋照合要求モードが解除されるまでは、カード決済をおこなうたびに指紋照合をおこなう構成にしてもよい。その場合、無線カード決済端末１００を、店舗の責任者等限られた者が指紋パターンを入力することにより指紋照合要求モードの設定、解除をおこなえる構成にしてもよい。
【０１４６】
〔実施の形態２〕
さて、上述した、実施の形態１にあっては、本発明にかかるカード決済装置に一例である無線カード決済端末１００の内部に指紋照合をおこなう指紋照合部４０７および登録指紋パターン記憶部４０８を設けたが、以下に説明する実施の形態２のように、無線カード決済端末２００に指紋照合部４０２および登録指紋パターン記憶部４０８を設ける代わりに指紋パターン情報送信部および照合情報受信部を設けることによって、指紋照合部４０７および登録指紋パターン記憶部４０８の役割を情報処理センター２０２に依存してもよい。
【０１４７】
実施の形態２にかかるカード決済装置の一例である無線カード決済端末２００の外観、無線カード決済端末２００を含んだクレジットカード決済システムの一例および無線カード決済端末２００のハードウエアの構成を示すブロック図については実施の形態１と同様であるのでその説明は省略する。ただし、図３におけるフラッシュメモリ３０３には登録指紋パターンを記憶しなくてもよい。
【０１４８】
つぎに、実施の形態２にかかる無線カード決済端末２００の機能的構成について説明する。図９は、実施の形態２にかかる無線カード決済端末２００を機能的に示す機能ブロック図である。図９において、無線カード決済端末２００は、指紋パターン情報送信部９０１と、照合情報受信部９０２と、カード情報入力部４０１と、カード情報送信部４０２と、要求信号受信部４０３と、指紋照合要求部４０４と、動作制御部４０５と、指紋パターン入力部４０６と、タイマー部４０９と、指紋照合要求情報送信部４１０と、分解検知部４１１と、判断部５０１と、から構成される。
【０１４９】
ここで、カード情報入力部４０１、カード情報送信部４０２、要求信号受信部４０３、指紋照合要求部４０４、動作制御部４０５、指紋パターン入力部４０６、タイマー部４０９、指紋照合要求情報送信部４１０、分解検知部４１１、判断部５０１は図４および図５に示した無線カード決済端末１００の各構成部と同様のものであるので、同一の符号を付してその説明を省略する。なお、図９においては、情報処理センター２０２より送信された指紋照合要求信号を要求信号受信部４０３が受信した場合について説明する。
【０１５０】
指紋照合要求部４０４は、要求信号受信部４０３より受信した指紋照合要求信号に基づいてカード情報入力部４０１によるカード情報の入力動作またはカード情報送信部４０２によるカード情報の送信動作を停止する。さらに、指紋照合要求部４０４は、図１に示す表示ユニット１０４等により、あらかじめ登録された者の指紋照合を要求する。
【０１５１】
指紋パターン入力部４０６は、指紋照合要求部４０４による指紋照合の要求にしたがって指紋パターンを入力する。ここで、指紋パターン入力部４０６は、指紋検出回路および指紋検出センサを含んでおり、指紋パターン入力部４０６からカード決済者が指紋パターンを入力する。さらに、指紋パターン入力部４０６は、その指紋パターンを指紋照合可能なデータに変換する。
【０１５２】
つぎに、指紋パターン情報送信部９０１は、指紋パターン入力部４０６に入力され照合可能なデータに変換された指紋パターンを無線カード決済端末２００の端末番号等の付属情報とともに指紋パターン情報として情報処理センター２０２に送信する。
【０１５３】
情報処理センター２０２は、無線カード決済端末２００より送信されるデータ等に対応可能な処理能力を有するコンピュータを備える。また、このコンピュータは、指紋パターン入力部４０６により照合可能なデータに変換された指紋パターンと登録指紋パターンとの指紋照合をおこなう。
【０１５４】
具体的には、指紋パターン情報送信部９０１により送信された指紋パターン情報と、あらかじめ情報処理センター２０２に記憶（登録）された登録指紋パターンとをパターンマッチング等することにより、指紋パターン入力部４０６に指紋パターンを入力したカード決済者を特定する。指紋照合の具体的な方法としては、実施の形態１と同様であるので記載を省略する。
【０１５５】
また、情報処理センター２０２は指紋照合により特定したカード決済者の個人情報を検索し、カード決済者が無線カード決済端末２００を使用することを許可できるか否かの判断をおこなう。なお、前述の情報処理センター２０２による処理は一例であり、登録指紋パターンと端末番号を直接に関連づけて登録するものでもよい。
【０１５６】
情報処理センター２０２が無線カード決済端末２００の使用を許可できると判断した場合には、カード情報入力部４０１によるカード情報の入力動作またはカード情報送信部４０２によるカード情報の送信動作を有効にすべき照合情報を、また、許可できないと判断をした場合には、カード情報入力部４０１によるカード情報の入力動作またはカード情報送信部４０２によるカード情報の送信動作を有効としない照合情報を、照合情報受信部９０２に送信する。さらに、照合情報受信部９０２は情報処理センター２０２より送信された照合情報を受信する。
【０１５７】
なお、情報処理センター２０２は、照合情報に付属してカード決済者の個人情報、無効カード情報等を照合情報受信部９０２に送信するようにしてもよい。また、指紋パターン情報送信部９０２から送信された指紋パターン情報の不備により指紋パターンを照合できない等の場合は、再度指紋パターンを送信しなければ無線カード決済端末２００の使用を許可しない旨の情報を照合受信部９０２に送信するようにしてもよい。
【０１５８】
動作制御部４０５は、照合情報受信部９０２が受信した情報処理センター２０２からの照合情報に基づいてカード情報入力部４０１の入力動作およびカード情報送信部４０２の送信動作を制御する。具体的には、照合情報が無線カード決済端末２００の使用を許可するものであれば、動作制御部４０５はカード情報入力部４０１によるカード情報の入力動作またはカード情報送信部４０２によるカード情報の送信動作を有効とするため、カード決済者はカード情報入力部４０１によりカード情報を読み取らせることが可能となる。さらに、カード決済者は情報処理センター２０２にカード情報を送信することが可能となる。
【０１５９】
一方、照合情報が無線カード決済端末２００の使用を許可しないものであれば、動作制御部４０５はカード情報入力部４０１によるカード情報の入力動作またはカード情報送信部４０２によるカード情報の送信動作を有効としないため、カード決済者はカード情報入力部４０１によりカード情報を読み取らせまたは情報処理センター２０２にカード情報を送信することができない。
【０１６０】
この場合、指紋パターンが正確に入力されなかったことも考えられるため情報処理センター２０２に指紋を入力できる回数をあらかじめ設定しておく。この設定回数の上限において情報処理センター２０２が指紋パターンが一致しないと判断した場合は無線カード決済端末２００の使用自体を無効とし、無線カード決済端末２００を使用するカード決済者に確認をおこなうとよい。
【０１６１】
つぎに、実施の形態２にかかる無線カード決済端末および情報処理センターの処理内容について説明する。図１０は、実施の形態２にかかる無線カード決済端末２００の処理の手順を示すフローチャートである。図１０のフローチャートにおいて、まず、無線カード決済端末２００が指紋照合要求信号を受信した場合（ステップＳ１００１肯定）は、カード決済者に指紋照合を要求すべくステップＳ１００３に移行する。
【０１６２】
また、指紋照合要求信号を受信しない場合（ステップＳ１００１否定）は、決められた時刻等に達したか否かをタイマー部４０９に基づいて判断する（ステップＳ１００２）。ステップＳ１００２において、決まった時刻に達したと判断された場合（ステップＳ１００２肯定）は、カード決済者に指紋照合を要求すべくステップＳ１００３に移行する。
【０１６３】
一方、ステップＳ１００２において、決まった時刻に達していないと判断された場合（ステップＳ１００２否定）は、ステップＳ１００１に移行する。なお、このステップＳ１００１とステップＳ１００２間においては、カード決済者は指紋照合をすることなく無線カード決済端末２００を使用できる。
【０１６４】
つぎに、指紋照合要求情報送信部４１０は、指紋照合部４０４により指紋照合を要求する旨を情報処理センター２０２に送信する（ステップＳ１００３）。なお、指紋照合要求情報送信部４１０による、指紋照合部４０４が指紋照合を要求する旨の送信は、指紋照合要求部４０４がカード情報の入力およびカード情報の送信を停止したと同時またはそれ以降の処理においておこなってもよい。
【０１６５】
つぎに、指紋照合要求部４０４は、カード情報入力部４０１によるカード情報の入力動作またはカード情報送信部４０２によるカード情報の送信動作を停止する（ステップＳ１００４）。これにより、カード決済者等が無線カード決済端末２００を使用するためには指紋照合をおこなわなければならない。
【０１６６】
さらに、指紋照合要求部４０４は、図１に示す表示ユニット１０４等により、カード決済者等に対し指紋照合の要求をする（ステップＳ１００５）。なお、音声、アラーム音または、図１に示す表示ユニット１０４若しくは入力ユニット１０５のバックライトの点滅等により、カード決済者等に指紋照合の要求を認知させてもよい。また、指紋照合要求部４０４による指紋照合の要求は、指紋照合要求部４０４がカード情報の入力およびカード情報の送信を停止する前または同時におこなってもよい。
【０１６７】
つぎに、指紋パターンが入力されるのを待って（ステップＳ１００６）、指紋パターンが入力された場合（ステップＳ１００６肯定）は、指紋パターンに関する指紋パターン情報を情報処理センター２０２に送信する（ステップＳ１００７）。
【０１６８】
つぎに、指紋パターン情報を受信した情報処理センター２０２は、後述する指紋パターン照合処理をおこない、照合情報を照合情報受信部９０２に送信する（ステップＳ１００８）。照合情報受信部９０２が照合情報の受信を待って（ステップＳ１００９）、受信が完了した場合（ステップＳ１００９肯定）は、照合情報が動作制御部４０５に送られ照合情報が無線カード決済端末２００の使用を許可してもよいものか否かを判断する（ステップＳ１０１０）。
【０１６９】
ステップＳ１０１０において、照合情報が無線カード決済端末２００の使用を許可できないものであると判断された場合（ステップＳ１０１０否定）は、動作制御部４０５はカード情報入力部４０１によるカード情報の入力動作またはカード情報送信部４０２によるカード情報の送信動作を有効にしないまま、その後ステップＳ１００５に移行し、再度指紋照合の要求をおこなう。
【０１７０】
なお、この場合には指紋を入力できる回数を、たとえば、３回等と設定しておく。設定回数の上限において情報処理センター２０２が指紋パターンが一致しないと判断した場合は、無線カード決済端末２００の使用自体を無効とし、無線カード決済端末２００にその旨を送信するようにしてもよい。
【０１７１】
一方、ステップＳ１０１０において、上記照合情報が無線カード決済端末２００の使用を許可できるものと判断された場合（ステップＳ１０１０肯定）は、動作制御部４０５はカード情報入力部４０１によるカード情報の入力動作またはカード情報送信部４０２によるカード情報の送信動作を有効にする（ステップＳ１０１０）。よって、指紋パターンが一致したことにより、カード決済者は、カード情報入力部４０１にカード情報を入力またはカード情報を情報処理センター２０２に送信することが可能となるため、再びカードによる決済をおこなうことができる。
【０１７２】
図１１は、図１０に示すステップＳ１００８における情報処理センター２０２がおこなう処理の手順の一例を示すフローチャートである。図１１に示すフローチャートにおいて、まず、情報処理センター２０２は無線カード決済端末２００の指紋パターン情報送信部９０１より送信された指紋パターン情報を受信する（ステップＳ１１０１）。
【０１７３】
つぎに、受信した指紋パターン情報から指紋パターン情報を送信した無線カード決済端末２００の端末番号等を読み取り、たとえば無線カード決済端末２００を取り扱っている会社名等を特定する（ステップＳ１１０２）。その後、情報処理センター２０２は特定した会社名より、あらかじめ会社ごとに登録された登録指紋パターンを選択し、入力された指紋パターンと登録指紋パターンの照合をおこなう（ステップＳ１１０３）。
【０１７４】
そして、情報処理センター２０２は、カード決済者等により入力された指紋パターンと一致する登録指紋パターンがあるか否かを判断する（ステップＳ１１０４）。ここで、カード決済者等により入力された指紋パターンと一致する登録指紋パターンがない場合（ステップＳ１１０４否定）は、上記無線カード決済端末２００の使用を許可しない照合情報を照合情報受信部９０２に送信し（ステップＳ１１０８）、処理を終了する。
【０１７５】
一方、ステップＳ１１０４において、登録指紋パターンの中にカード決済者等により入力された指紋パターンと一致するものがある場合（ステップＳ１１０４肯定）は、カード決済者等により入力された指紋パターンと一致する登録指紋パターンにより特定されるカード決済者の個人データを検索する（ステップＳ１１０５）。
【０１７６】
さらに、情報処理センター２０２は、カード決済者の個人データにより、カード決済者に無線カード決済端末２００の使用を許可してもよいか否かを判断する（ステップＳ１１０６）。上記個人データにはカード決済者の使用が許可されている無線カード決済端末２００の端末番号等の情報が格納されている。
【０１７７】
ステップＳ１１０６において、情報処理センター２０２が、カード決済者が担当する無線カード決済端末２００以外の無線カード決済端末２００を使用している等の理由により、無線カード決済端末２００を使用するのを許可できないと判断した場合（ステップＳ１１０６否定）は、上記無線カード決済端末２００の使用を許可しない旨の照合情報を照合情報受信部９０２に送信し（ステップＳ１１０８）、処理を終了する。
【０１７８】
一方、ステップＳ１１０６において、情報処理センター２０２が、無線カード決済端末２００を使用するのを許可できると判断した場合（ステップＳ１１０６肯定）は、無線カード決済端末２００の使用を許可する旨の照合情報を照合情報受信部９０２に送信し（ステップＳ１１０７）、処理を終了する。なお、前述の処理の手順は一例であり、本発明を限定するものではない。
【０１７９】
以上説明したように、本実施の形態２によれば、情報処理センター２０２から送信された指紋照合要求信号を要求信号受信部４０２が受信し、指紋照合要求部４０４が、指紋照合要求信号に基づいてカード情報入力部４０１によるカード情報の入力動作またはカード情報送信部４０２によるカード情報の送信動作を停止するとともに、あらかじめ登録された者の指紋照合を要求すると、情報処理センター２０２に登録された者の登録指紋パターンと一致する指紋パターンが指紋パターン入力部４０１に入力された場合にのみ、カード情報を入力またはカード情報を送信をすることが可能となり、また、無線カード決済端末１００においてカードによる決済をおこなうことが可能となる。
【０１８０】
したがって、無線カード決済端末１００の指紋を登録していない者による使用を効率的に排除でき、また、無線カード決済端末１００をしようした者を特定できるため、効率的に無線カード決済端末１００の不正使用を防止できる。
【０１８１】
また、実施の形態２によれば、実施の形態１にかかる無線カード決済端末１００のように無線カード決済端末２００の内部に指紋照合部および登録指紋パターン記憶部を設ける必要がないため、記憶した登録指紋パターンを偽造・変造されることがない。さらに、実施の形態１よりも小容量のメモリですむため、実施の形態１にかかる無線カード決済端末１００に比して安価に製造することができる。
【０１８２】
なお、実施の形態１または２にかかる無線カード決済端末１００または２００に、クレジットカードによる決済の結果情報を指紋照合の結果と関連づけて記憶することができる記憶部を設けてもよい。それにより、指紋照合の結果とクレジットカードによる決済の結果を統計することでカード決済者ごとの売上集計のみならずカード決済者による無線カード決済端末１００または２００の不正使用を効率的に抑制することができる。
【０１８３】
また、指紋照合部４０７または情報処理センター２０２により判断された照合結果を音声、アラーム音等で知らせ、または、バックライトの色の変化等で乗客に知らせる構成としてもよい。これにより、乗客は照合結果を直感的に認識することができる。
【０１８４】
さらに、無線カード決済端末１００または２００は、タクシーに搭載してその場で決済する以外の用途にももちいることができる。たとえば、レストランの客席まで店員が持参してその場でカードによる決済をおこなったり、セールスマンが持参して、訪問販売の際にその場でカードの決済をおこなうためにもちいてもよい。
【０１８５】
なお、実施の形態１または２で説明したカード決済方法は、あらかじめ用意されたプログラムを情報処理装置（コンピュータ）が実行することにより実現することができる。このプログラムは、ハードディスク、フロッピーディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体を介して、あるいは伝送媒体としてインターネット等のネットワークを介して配布することができる。
【発明の効果】
以上説明したように、請求項１に記載の発明によれば、情報処理センターから送信された指紋照合要求信号を受信し、受信した指紋照合要求信号に基づいてカード情報の入力動作またはカード情報の送信動作を停止するとともに、あらかじめ登録された者の指紋照合を要求し、要求にしたがって指紋パターンを入力し、入力された指紋パターンを、あらかじめ登録された者の登録されている指紋パターンと照合し、照合された結果に基づいてカード情報の入力動作またはカード情報の送信動作を有効にするので、カード決済装置が情報処理センターから送信された指紋照合要求信号を受信した場合は、カード決済装置にあらかじめ登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１８６】
また、請求項２に記載の発明によれば、情報処理センターから送信された指紋照合要求信号を受信し、受信した指紋照合要求信号に基づいてカード情報の入力動作または前カード情報の送信動作を停止するとともに、あらかじめ登録された者の指紋照合を要求し、要求にしたがって指紋パターンを入力し、入力された指紋パターンに関する指紋パターン情報を情報処理センターに送信し、指紋パターン情報の送信に基づく情報処理センターからの照合情報を受信し、受信した照合情報に基づいてカード情報の入力動作またはカード情報の送信動作を有効にするので、カード決済装置が情報処理センターから送信された指紋照合要求信号を受信した場合は、情報処理センターに登録された者の指紋パターンと一致する指紋パターンが入力された場合にのみ、カード情報を入力またはカード情報を送信することができる。また、登録指紋パターンをカード決済装置に記憶する必要がなく、また、記憶した登録指紋パターンを偽造・変造されることがない。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１８７】
また、請求項３に記載の発明によれば、カード情報を入力した回数、時刻等の入力状況またはカードによる決済に関する情報に基づいてカード決済装置が不正使用されている可能性があるか否かを判断し、判断された結果に基づいてカード情報の入力動作またはカード情報の送信動作を停止するとともに、あらかじめ登録された者の指紋照合を要求し、要求にしたがって指紋パターンを入力し、入力された指紋パターンを、あらかじめ登録された者の登録されている指紋パターンと照合し、照合された結果に基づいてカード情報の入力動作またはカード情報の送信動作を有効にするので、カード決済装置を不正に使用している可能性があると判断された場合には、カード決済装置にあらかじめ登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１８８】
また、請求項４に記載の発明によれば、カード情報を入力した回数、時刻等の入力状況またはカードによる決済に関する情報に基づいてカード決済装置が不正使用されている可能性があるか否かを判断し、判断された結果に基づいてカード情報の入力動作またはカード情報の送信動作を停止するとともに、あらかじめ登録された者の指紋照合を要求し、要求にしたがって指紋パターンを入力し、入力された指紋パターンに関する指紋パターン情報を情報処理センターに送信し、指紋パターン情報の送信に基づく情報処理センターからの照合情報を受信し、受信した照合情報に基づいてカード情報の入力動作またはカード情報の送信動作を有効にするので、カード決済装置を不正に使用している可能性があると判断された場合には、情報処理センターに登録された者の指紋パターンと一致する指紋パターンが入力された場合にのみ、カード情報を入力またはカード情報を送信することができる。さらに、登録指紋パターンをカード決済装置に記憶する必要がなく、また、記憶した登録指紋パターンを偽造・変造されることがない。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１８９】
また、請求項５に記載の発明によれば、計数した時間が所定時間に達した場合、または、あらかじめ決められた時刻に達した場合に、カード情報の入力動作またはカード情報の送信動作を停止するとともに、あらかじめ登録された者の指紋照合を要求するので、決められた時点から一定時間経過後、または、決められた時刻に達した場合には、カード決済装置にあらかじめ登録された者または情報処理センターに登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１９０】
また、請求項６に記載の発明によれば、カード決済装置が分解されたことを検知し、分解されたことが検知された場合に、カード情報の入力動作またはカード情報の送信動作を停止するとともに、あらかじめ登録された者の指紋照合を要求するため、カード決済装置が分解されたことを検知した場合には、カード決済装置にあらかじめ登録された者または情報処理センターに登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１９１】
また、請求項７に記載の発明によれば、指紋照合の要求があった場合に、その旨を情報処理センターに送信するので、情報処理センターは、指紋照合の要求があったことを認知することができる。これにより、カード決済者等によるカード決済装置の不正使用を効率的に防止することで、カード所有者に安心感を与え、円滑かつ安全にカード決済をおこなうことが可能なカード決済装置を得られるという効果を奏する。
【０１９２】
また、請求項８に記載の発明によれば、情報処理センターから送信された指紋照合要求信号を受信し、受信した指紋照合要求信号に基づいてカード情報の入力動作またはカード情報の送信動作を停止するとともに、あらかじめ登録された者の指紋照合を要求し、要求にしたがって指紋パターンを入力し、入力された指紋パターンを、あらかじめ登録された者の登録されている指紋パターンと照合し、照合された結果に基づいてカード情報の入力動作またはカード情報の送信動作を有効にするため、情報処理センターから送信された指紋照合要求信号を受信した場合は、あらかじめ登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済方法を得られるという効果を奏する。
【０１９３】
また、請求項９に記載の発明によれば、情報処理センターから送信された指紋照合要求信号を受信し、受信した指紋照合要求信号に基づいてカード情報の入力動作またはカード情報の送信動作を停止するとともに、あらかじめ登録された者の指紋照合を要求し、要求にしたがって指紋パターンを入力し、入力された指紋パターンに関する指紋パターン情報を情報処理センターに送信し、指紋パターン情報の送信に基づく情報処理センターからの照合情報を受信し、受信した照合情報に基づいてカード情報の入力動作またはカード情報の送信動作を有効にするため、情報処理センターから送信された指紋照合要求信号を受信した場合には、情報処理センターに登録された者の指紋パターンと一致する指紋パターンが入力された場合にのみ、カード情報を入力またはカード情報を送信することができる。さらに、登録指紋パターンを偽造・変造されることがない。これにより、カード決済者等によるカード決済装置の不正使用を効率的に防止することで、カード所有者に安心感を与え、円滑かつ安全にカード決済をおこなうことが可能なカード決済方法を得られるという効果を奏する。
【０１９４】
また、請求項１０に記載の発明によれば、カード情報を入力した回数、時刻等の入力状況またはカードによる決済に関する情報に基づいてカードによる決済が不正におこなわれている可能性があるか否かを判断し、判断された結果に基づいてカード情報の入力動作またはカード情報の送信動作を停止するとともに、あらかじめ登録された者の指紋照合を要求し、要求にしたがって指紋パターンを入力し、入力された指紋パターンを、あらかじめ登録された者の登録されている指紋パターンと照合し、照合された結果に基づいてカード情報の入力動作またはカード情報の送信動作を有効にするため、カードによる決済が不正におこなわれている可能性があると判断された場合には、あらかじめ登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済方法を得られるという効果を奏する。
【０１９５】
また、請求項１１に記載の発明によれば、カード情報を入力した回数、時刻等の入力状況またはカードによる決済に関する情報に基づいてカードによる決済が不正におこなわれている可能性があるか否かを判断し、判断された結果に基づいてカード情報の入力動作またはカード情報の送信動作を停止するとともに、あらかじめ登録された者の指紋照合を要求し、要求にしたがって指紋パターンを入力し、入力された指紋パターンに関する指紋パターン情報を情報処理センターに送信し、指紋パターン情報の送信に基づく情報処理センターからの照合情報を受信し、受信した照合情報に基づいてカード情報の入力動作またはカード情報の送信動作を有効にするため、カードによる決済が不正におこなわれている可能性があると判断された場合には、情報処理センターに登録された者の指紋パターンと一致する指紋パターンが入力された場合にのみ、カード情報を入力またはカード情報を送信することができる。さらに、登録指紋パターンを偽造・変造されることがない。これにより、カード決済者等によるカード決済装置の不正使用を効率的に防止することで、カード所有者に安心感を与え、円滑かつ安全にカード決済をおこなうことが可能なカード決済方法を得られるという効果を奏する。
【０１９６】
また、請求項１２に記載の発明によれば、計数した時間が所定時間に達した場合、または、あらかじめ決められた時刻に達した場合に、カード情報の入力動作またはカード情報の送信動作を停止するとともに、あらかじめ登録された者の指紋照合を要求するため、決められた時点から一定時間経過後、または、決められた時刻に達した場合には、あらかじめ登録された者または情報処理センターに登録された者の指紋パターンと一致する指紋パターンが入力された場合にのみ、カード情報を入力またはカード情報を送信をすることができる。これにより、カード決済者等によるカード決済装置の不正使用を効率的に防止することで、カード所有者に安心感を与え、円滑かつ安全にカード決済をおこなうことが可能なカード決済方法を得られるという効果を奏する。
【０１９７】
また、請求項１３に記載の発明によれば、指紋照合の要求があった場合に、その旨を情報処理センターに送信するため、情報処理センターは、指紋照合の要求があったことを認知することができる。これにより、カード決済者等によるカード決済装置の不正使用を効率的に防止することで、カード所有者に安心感を与え、円滑かつ安全にカード決済をおこなうことが可能なカード決済方法を得られるという効果を奏する。
【０１９８】
また、請求項１４に記載の発明によれば、請求項８〜１３のいずれか一つに記載された方法をコンピュータに実行させるプログラムを記録したことで、そのプログラムがコンピュータ読み取り可能となり、これによって、請求項８〜１３いずれか一つの工程による動作をコンピュータによって実現することが可能なコンピュータに実行させるプログラムを記録したコンピュータ読み取り可能な記録媒体が得られるという効果を奏する。
【図面の簡単な説明】
【図１】実施の形態１にかかるカード決済装置の一例である無線カード決済端末の外観を示す説明図である。
【図２】実施の形態１にかかる無線カード決済端末を含むクレジットカード決済システムの一例を示す説明図である。
【図３】実施の形態１にかかる無線カード決済端末のハードウエア構成を示すブロック図である。
【図４】実施の形態１にかかる無線カード決済端末を機能的に示すブロック図である。
【図５】実施の形態１にかかる無線カード決済端末に判断部を備えた一例を機能的に示すブロック図である。
【図６】実施の形態１にかかる無線カード決済端末の処理の手順を示すフローチャートである。
【図７】実施の形態１にかかる無線カード決済端末が分解されたことを分解検知部により検知した場合の処理を示すフローチャートである。
【図８】実施の形態１にかかる無線カード決済端末が不正に使用されている可能性があると判断部により判断した場合の処理を示すフローチャートである。
【図９】実施の形態２にかかる無線カード決済端末を機能的に示す機能ブロック図である。
【図１０】実施の形態２にかかる無線カード決済端末の処理の手順を示すフローチャートである。
【図１１】実施の形態２にかかる情報処理センターがおこなう処理の手順の一例を示すフローチャートである。
【符号の簡単な説明】
１００，２００  無線カード決済端末
１０１  指紋読取ユニット
１０２  無線通信機
１０３  カードリーダユニット
１０４  表示ユニット
１０５  入力ユニット
１０６  プリンタユニット
２０１  無線中継局
２０２  情報処理センター
２０３  ＣＡＦＩＳ（カードビジネス総合ネットワークシステム）
２０４  カード会社
３０１  ＣＰＵ
３０２  ＲＯＭ
３０３  フラッシュメモリ
３０４  ＲＡＭ
３０５  電源回路
３０６  分解検知センサ
４０１  カード情報入力部
４０２  カード情報送信部
４０３  要求信号受信部
４０４  指紋照合要求部
４０５  動作制御部
４０６  指紋パターン入力部
４０７  指紋照合部
４０８  登録指紋パターン記憶部
４０９  タイマー部
４１０  指紋照合要求情報送信部
４１１  分解検知部
５０１  判断部
９０１  指紋パターン情報送信部
９０２  照合情報受信部
【図１】
0003872243.tif 000002
【図２】
0003872243.tif 000003
【図３】
0003872243.tif 000004
【図４】
0003872243.tif 000005
【図５】
0003872243.tif 000006
【図６】
0003872243.tif 000007
【図７】
0003872243.tif 000008
【図８】
0003872243.tif 000009
【図９】
0003872243.tif 000010
【図１０】
0003872243.tif 000011
【図１１】
0003872243.tif 000012